【手続補正書】
【提出日】平成18年1月18日(2006.1.18)
【手続補正１】
【補正対象書類名】明細書
【補正対象項目名】発明の名称
【補正方法】変更
【補正の内容】
【発明の名称】インクジェット用水性インク及びインクジェット記録方法及び記録装置
【手続補正２】
【補正対象書類名】明細書
【補正対象項目名】特許請求の範囲
【補正方法】変更
【補正の内容】
【特許請求の範囲】
【請求項１】  少なくとも水を含む溶媒と、着色剤とを含有しているインクジェット用水性インクであって、さらに、紫外線吸収スペクトルで、380nm での吸光度Ab380 と300nmでの吸光度Ab300 との比（Ab300 ／Ab380 ）が1000以上の１、２−ベンズイソチアゾリン−３−オンを含有することを特徴とするインクジェット用水性インク。
【請求項２】  １、２−ベンズイソチアゾリン−３−オンがインク中に存在する陽イオンとイオン対を形成して溶解していることを特徴とする請求項１に記載のインクジェット用水性インク。
【請求項３】  前記陽イオンがアルカリ金属イオンであることを特徴とする請求項２に記載のインクジェット用水性インク。
【請求項４】  前記陽イオンが第４級アンモニウムイオンであることを特徴とする請求項２に記載のインクジェット用水性インク。
【請求項５】  前記水性インク中には着色剤として顔料が含有されたことを特徴とする請求項１から４のいずれか１項に記載のインクジェット用水性インク。
【請求項６】  前記着色剤が自己分散顔料であることを特徴とする請求項１から５のいずれか１項に記載のインクジェット用水性インク。
【請求項７】  インクジェット記録装置ヘッドのインク流入部インクキャビテイ 、インク吐出部インク液室、前記インクキャビテイ とインク液室との間に設けられた流体抵抗部、振動板、ノズルを有する記録ヘッドユニット構成部材の少なくとも一部がシリコン及び／またはガラスにより形成されたインクジェット記録装置に用いられることを特徴とする請求項１から６のいずれか１項に記載のインクジェット用水性インク。
【請求項８】  請求項１から７のいずれか１項に記載のインクジェット用水性インクを、インクジェット法で吐出する工程を有することを特徴とするインクジェット記録方法。
【請求項９】  インクジェット記録装置のインクを収容したインク収容部を備えたインクカートリッジであって、前記インクが請求項１から７のいずれか１項に記載のインクジェット用水性インクであることを特徴とするインクカートリッジ。
【請求項１０】  インクを収容したインク収容部と、インク滴を吐出させるためのヘッド部を備えた記録ヘッドユニットであって、前記インクが請求項１から７のいずれか１項に１項記載のインクジェット用水性インクであることを特徴とする記録ヘッドユニット。
【請求項１１】  インクを収容したインク収容部と、インク滴を吐出させるための記録ヘッドとを有する記録ユニットを備えたインクジェット記録装置であって、前記インクが請求項１から７のいずれか１項に記載のインクジェット用水性インクであることを特徴とするインクジェット記録装置。
【手続補正３】
【補正対象書類名】明細書
【補正対象項目名】０００１
【補正方法】変更
【補正の内容】
【０００１】
【発明の属する技術分野】
本発明はインクジェット記録に関し、さらに詳しくは、インクと接する部材の少なくとも一部が、シリコン、ガラスまたは、これらのシリコン、ガラスに酸化物、窒化物、金属のいずれかが設けられた部材で形成されたインクジェットプリンタに用いるインクジェット用水性インク及びインクジェット記録方法及び記録装置に関する。
【手続補正４】
【補正対象書類名】明細書
【補正対象項目名】００１０
【補正方法】変更
【補正の内容】
【００１０】
【発明が解決しようとする課題】
本発明はこのような状況に鑑みてなされたもので、防腐防黴剤として１、２−ベンズイソチアゾリン−３−オンを含有し、インクと接する部材の少なくとも一部が、シリコンやガラスまたは、これらのシリコン、ガラスに酸化物、窒化物、金属のいずれかが設けられた部材で形成されたインクジェットプリンタに用いるインクにおいて、特定の紫外線吸収特性を持つ１、２−ベンズイソチアゾリン−３−オンを使用することにより、インクと接する部材構成成分の溶出を防止し、インク滴の大きさやインク滴の吐出速度の変化、吐出不良を防止し、且つインクの分散又は溶解安定性の優れたインクジェット用水性インク及びインクジェット記録方法並びにインクジェット記録装置を提供することを目的とする。
【手続補正５】
【補正対象書類名】明細書
【補正対象項目名】００１１
【補正方法】変更
【補正の内容】
【００１１】
【課題を解決するための手段】
本発明の上記課題は、下記の手段により達成される。本発明によれば、請求項１ではインクジェット用水性インクは、 少なくとも水を含む溶媒と、着色剤とを含有しているインクジェット用水性インクであって、さらに、インクジェット記録装置に用いられるインクに含有される１、２−ベンズイソチアゾリン−３−オンの紫外線吸収スペクトルの、380nm での吸光度Ab380 と300nm での吸光度Ab300 との比（Ab300 ／Ab380 ）が1000以上であることを最も主要な特徴とする。
【手続補正６】
【補正対象書類名】明細書
【補正対象項目名】００１２
【補正方法】変更
【補正の内容】
【００１２】
第二に、請求項１に記載のインクジェット用水性インクは、前記水性インクに含有される１、２−ベンズイソチアゾリン−３−オンがインク中に存在する陽イオンとイオン対を形成して溶解していることを主要な特徴とする。
【手続補正７】
【補正対象書類名】明細書
【補正対象項目名】００１３
【補正方法】変更
【補正の内容】
【００１３】
第三に、請求項２に記載のインクジェット用水性インクは、前記水性インク中に存在する前記陽イオンがアルカリ金属イオンであることを主要な特徴とする。
【手続補正８】
【補正対象書類名】明細書
【補正対象項目名】００１４
【補正方法】変更
【補正の内容】
【００１４】
第四に、請求項２に記載のインクジェット用水性インクは、前記水性インク中に存在する前記陽イオンが第４級アンモニウムイオンであることを主要な特徴とする。
【手続補正９】
【補正対象書類名】明細書
【補正対象項目名】００１５
【補正方法】変更
【補正の内容】
【００１５】
第五に、請求項１から４のいずれかに記載のインクジェット用水性インクは、前記水性インク中には着色剤として顔料が含有されたことを主要な特徴とする。
【手続補正１０】
【補正対象書類名】明細書
【補正対象項目名】００１６
【補正方法】変更
【補正の内容】
【００１６】
第六に、請求項１から５のいずれかに記載のインクジェット用水性インクは、前記着色剤が自己分散顔料であることを主要な特徴とする。
【手続補正１１】
【補正対象書類名】明細書
【補正対象項目名】００１７
【補正方法】変更
【補正の内容】
【００１７】
第七に、インクジェット記録装置ヘッドのインク流入部インクキャビテイ 、インク吐出部インク液室、前記インクキャビテイ とインク液室との間に設けられた流体抵抗部、振動板、ノズルを有する記録ヘッドユニット構成部材の少なくとも一部がシリコン及び／またはガラスにより形成されたインクジェット記録装置に請求項１から６のいずれか１項に記載のインクジェット用水性インクが用いられることを主要な特徴とする。
【手続補正１２】
【補正対象書類名】明細書
【補正対象項目名】００１８
【補正方法】変更
【補正の内容】
【００１８】
第八に、インクジェット記録方法は、請求項１から７のいずれか１項に記載のインクジェット用水性インクを、インクジェット法で吐出する工程を有することを主要な特徴とする。
【手続補正１３】
【補正対象書類名】明細書
【補正対象項目名】００１９
【補正方法】変更
【補正の内容】
【００１９】
第九に、インクを収容したインク収容部を備えたインクカートリッジであって、前記インクは請求項１から７のいずれか１項に記載のインクジェット用水性インクであることを主要な特徴とする。
【手続補正１４】
【補正対象書類名】明細書
【補正対象項目名】００２０
【補正方法】変更
【補正の内容】
【００２０】
第十に、インクを収容したインク収容部と、インク滴を吐出させるためのヘッド部を備えた記録ヘッドユニットであって、前記インクが請求項１から７のいずれか１項に記載のインクジェット用水性インクであることを主要な特徴とする。
【手続補正１５】
【補正対象書類名】明細書
【補正対象項目名】００２１
【補正方法】変更
【補正の内容】
【００２１】
第十一に、インクを収容したインク収容部と、インク滴を吐出させるための記録ヘッドとを有する記録ユニットを備えたインクジェット記録装置であって、前記インクが請求項１から７のいずれか１項に記載のインクジェット用水性インクであることを主要な特徴とする。
【手続補正１６】
【補正対象書類名】明細書
【補正対象項目名】００２２
【補正方法】変更
【補正の内容】
【００２２】
【発明の実施の形態】
以下に本発明の実施の形態を説明する。本発明で用いる１、２−ベンズイソチアゾリン−３−オンは、中性からアルカリ性水溶液中で陽イオンとともにイオン対を形成した場合に、水溶液中で安定に溶解する。安定に溶解している状態が本発明の目的に対して最も効果を発揮する。液室、流体抵抗部、振動板、ノズルのそれぞれの部材の少なくとも一部が、シリコン、ガラス及びこれらに設けられた膜のいずれかにより形成されたインクジェットプリンタに用いるインクジェット用インクに最適である。
【手続補正１７】
【補正対象書類名】明細書
【補正対象項目名】００６３
【補正方法】変更
【補正の内容】
【００６３】
【発明の効果】
請求項１のインクジェット記録装置に用いられる少なくとも水を含む溶媒と、着色剤とを含有しているインクジェット記録用水性インクであって、含有する１、２−ベンズイソチアゾリン−３−オンの紫外線吸収スペクトルの、380nmでの吸光度Ab380と300nmでの吸光度Ab300との比（Ab300／Ab380）が1000以上であることを特徴とするインクジェット用水性インクによれば、インクと接する部材構成成分の溶出を防止でき、インク滴の大きさやインク滴の吐出速度の変化、吐出不良を防止し、且つインクの分散又は溶解安定性の優れたインクジェット用水性インクを提供することができた。
【手続補正１８】
【補正対象書類名】明細書
【補正対象項目名】００６４
【補正方法】変更
【補正の内容】
【００６４】
請求項２の水性インクに含有される１、２−ベンズイソチアゾリン−３−オンがインク中に存在する陽イオンとイオン対を形成して溶解していることを特徴とする請求項１に記載のインクジェット用水性インクによれば、１、２−ベンズイソチアゾリン−３−オンをインク中で良好な溶解状態に保ち、析出などによるインクの目詰まりを防止するとともに、防腐防黴剤としての効果を最大限に引き出した。
【手続補正１９】
【補正対象書類名】明細書
【補正対象項目名】００６５
【補正方法】変更
【補正の内容】
【００６５】
請求項３の前記水性インク中に存在する前記陽イオンがアルカリ金属イオンであることを特徴とする請求項２に記載のインクジェット用水性インクによれば、１、２−ベンズイソチアゾリン−３−オンをインク中で良好な溶解状態に保ち、析出などによるインクの目詰まりを防止するとともに、防腐防黴剤としての効果を最大限に引き出した。
【手続補正２０】
【補正対象書類名】明細書
【補正対象項目名】００６６
【補正方法】変更
【補正の内容】
【００６６】
請求項４の前記水性インク中に存在する前記陽イオンが第4 級アンモニウムイオンであることを特徴とする請求項２に記載のインクジェット用水性インクによれば、請求項２、３と同様であるが、特に部材構成成分の溶出防止に大きな効果が得られた。
【手続補正２１】
【補正対象書類名】明細書
【補正対象項目名】００６７
【補正方法】変更
【補正の内容】
【００６７】
請求項５の前記水性インク中に含まれる着色剤が顔料であることを特徴とする請求項１から４のいずれかに記載のインクジェット用水性インクによれば、ベンズイソチアゾリン−３−オンの添加により部材構成成分の溶出が顕著となる顔料インクに対して溶出を抑える大きな効果が得られた。
【手続補正２２】
【補正対象書類名】明細書
【補正対象項目名】００６８
【補正方法】変更
【補正の内容】
【００６８】
請求項６の前記水性インク中に含まれる前記着色剤が自己分散顔料であることを特徴とする請求項１から５のいずれかに記載のインクジェット用水性インクによれば、ベンズイソチアゾリン−３−オンの添加により部材構成成分の溶出が顕著となる顔料インク、特に自己分散顔料インクに対して溶出を抑える大きな効果が得られた。
【手続補正２３】
【補正対象書類名】明細書
【補正対象項目名】００６９
【補正方法】変更
【補正の内容】
【００６９】
請求項７のインクジェット記録装置ヘッドのインク流入部インクキャビテイ、インク吐出部インク液室、前記インクキャビテイ とインク液室との間に設けられた流体抵抗部、振動板、ノズルを有する記録ヘッドユニット構成部材の少なくとも一部がシリコン及び／またはガラスにより形成されたインクジェット記録装置に用いられることを特徴とする請求項１から６のいずれか１項に記載のインクジェット用水性インクによれば、インク流入部インクキャビテイ、インク吐出部インク液室、流体抵抗部部材の記録ヘッドユニット各構成部材の溶出が抑えられ、特にインクの分散又は溶解安定性の優れたインクジェット用水性インクが得られ、また、振動板、ノズルの溶出が抑えられ、特にインク滴の大きさやインク滴の吐出速度の変化、吐出不良を防止することができた。
【手続補正２４】
【補正対象書類名】明細書
【補正対象項目名】００７０
【補正方法】変更
【補正の内容】
【００７０】
請求項８の請求項１から７のいずれかに記載のインクジェット用水性インクを、インクジェット法で吐出する工程を有することを特徴とするインクジェット記録方法によれば、インク滴の大きさやインク滴の吐出速度の変化、吐出不良を防止し、且つインクの分散又は溶解安定性の優れたインクジェット記録方法を提供することができた。
【手続補正２５】
【補正対象書類名】明細書
【補正対象項目名】００７１
【補正方法】変更
【補正の内容】
【００７１】
請求項９のインクジェット記録装置のインクを収容したインク収容部を備えたインクカートリッジであって、該インクが請求項１から７のいずれか１項に記載のインクジェット用水性インクを収容するインク収容部を備えたことを特徴とするインクカートリッジによれば、インクと接する部材構成成分の溶出を防止でき、インク滴の大きさやインク滴の吐出速度の変化、吐出不良を防止し、且つインクの分散又は溶解安定性の優れたインクジェット用インクを収容したインクカートリッジを提供することができた。
【手続補正２６】
【補正対象書類名】明細書
【補正対象項目名】００７２
【補正方法】変更
【補正の内容】
【００７２】
請求項１０のインクを収容したインク収容部と、インク滴を吐出させるためのヘッド部を備えた記録ヘッドユニットであって、前記インクが請求項１から７のいずれかに１項記載のインクジェット用水性インクであることを特徴とする記録ヘッドユニットによれば、インクと接する部材構成成分の溶出を防止でき、インク滴の大きさやインク滴の吐出速度の変化、吐出不良を防止し、且つインクの分散又は溶解安定性の優れたインクジェット用水性インクを備えた記録ユニットを提供することができた。
【手続補正２７】
【補正対象書類名】明細書
【補正対象項目名】００７３
【補正方法】変更
【補正の内容】
【００７３】
請求項１１のインクを収容したインク収容部と、インク滴を吐出させるための記録ヘッドとを有する記録ユニットを備えたインクジェット記録装置であって、前記インクが請求項１から７のいずれか１項に記載のインクジェット用水性インクであることを特徴とするインクジェット記録装置によれば、インクと接する部材構成成分の溶出を防止でき、インク滴の大きさやインク滴の吐出速度の変化、吐出不良を防止し、且つインクの分散又は溶解安定性の優れたインクを備えたインクジェット記録装置を提供することができた。